(57)【要約】【課題】ルーフ両側縁に設けられるアシストグリップであって、室内美観の向上並びに車内スペースの確保を目的として、スプリングのバネ圧により格納側にバネ付勢される格納式アシストグリップにおいて、格納時における打音の発生を防止する。【解決手段】格納式アシストグリップ２０は、乗員が把持できる把手状のグリップ本体５０と、このグリップ本体５０の両端５１を回動可能に支持できる取付ベース６０とから構成され、軸受部６３にスプリング５３が介装されていることにより、グリップ本体５０は、ルーフトリム１０と重合する格納位置Ａに戻るようにバネ付勢されており、取付ベース６０におけるフランジ６１、あるいはグリップ本体５０のいずれか一方側にストッパーリブ５４、６６を設けることで、格納時における打音の発生を防止するとともに、製品表面の外観性能を良好に維持する。【選択図】図４
2008143401.tif 000002
【特許請求の範囲】
【請求項１】
ルーフ側に取り付けられる取付ベース（６０）に把手状のグリップ本体（５０）の両端（５１）が回動可能に支持され、このグリップ本体（５０）は、ルーフトリム（１０）の製品面と重合する格納位置（Ａ）と、この格納位置（Ａ）から起立させて乗員が把手として把持する使用位置（Ｂ）との間で回動可能であるとともに、スプリング（５３）により、非使用時には格納位置（Ａ）に戻るようにバネ付勢される格納式アシストグリップ（２０）であって、
前記グリップ本体（５０）の格納時において、前記取付ベース（６０）のフランジ（６１）と、該フランジ（６１）と当接するグリップ本体（５０）のいずれか一方側にストッパーリブ（５４，６６）が設けられていることにより、グリップ本体（５０）の格納時における打音の発生を回避するようにしたことを特徴とする格納式アシストグリップ。
【発明の詳細な説明】
【技術分野】
【０００１】
この発明は、ルーフトリムに設けられ、助手席側乗員や後席乗員が着座姿勢を維持するために使用するアシストグリップであって、非使用時は、ルーフトリムの製品面に重合する格納位置にバネ付勢される格納式アシストグリップに関する。
【背景技術】
【０００２】
一般に、自動車の助手席及び後部座席の斜め上方のルーフ側には、走行中の急カーブ等があっても着座姿勢を適正に維持できるようにアシストグリップが設けられている。図８に示すように、ルーフトリム１のフロント側にサンバイザ２がモジュール化されており、ルーフトリム１の助手席及び後部座席の上方に対応するルーフトリム１の左右側縁部には、格納式アシストグリップ３が設けられている。この格納式アシストグリップ３は、図９に示すように、乗員が掴んで着座姿勢を保持できる把手状のグリップ本体４と、グリップ本体４の両端を回動可能に支持する取付ベース５とから構成されている。そして、使用時には、グリップ本体４を回動させて把持し、不使用時にはグリップ本体４をルーフトリム１の製品表面に格納できるようにグリップ本体４の軸受部６にスプリング７が介装されている。従って、ルーフトリム１の製品面に重合できる格納位置と、格納位置から起立させて乗員が掴める使用位置との間で回動可能にグリップ本体４を支持するとともに、スプリング７により格納側にグリップ本体４をバネ付勢する構成である。格納式アシストグリップ３の従来例については、特許文献１に詳細に記載されている。
【０００３】
【特許文献１】特開平３−１６８３６号公報
【発明の開示】
【発明が解決しようとする課題】
【０００４】
このように、従来の格納式アシストグリップ３は、室内美観並びにスペース効率を考慮して、スプリング７によりグリップ本体４が格納側にバネ付勢されるという構成ではあるものの、特に、図１０に示すように、グリップ本体４が使用位置から格納位置に戻される際、スプリング７のバネ圧により、グリップ本体４の脚部４ａが取付ベース５のフランジ面５ａに勢いよく突き当たり、打音が発生するという欠点が指摘されている。更に、グリップ本体４はルーフトリム１の製品面についても同様に急激にぶつかり、ルーフトリム１の表皮に損傷を与え易く、格納式アシストグリップ３取付部位におけるルーフトリム１の外観不良を招くという欠点も同時に指摘されている。
【０００５】
この発明は、このような事情に鑑みてなされたもので、車両の室内美観の向上、並びに車室内の有効スペースを確保することができる格納式アシストグリップであって、特に、グリップ本体をルーフトリム側に格納する際、打音の発生を防止し、かつルーフトリムの製品外観を良好に維持できる格納式アシストグリップを提供することを目的とする。
【課題を解決するための手段】
【０００６】
上記課題を解決するために、本発明は、ルーフ側に取り付けられる取付ベースに把手状のグリップ本体の両端が回動可能に支持され、このグリップ本体は、ルーフトリムの製品面と重合する格納位置と、この格納位置から起立させて乗員が把手として把持する使用位置との間で回動可能であるとともに、スプリングにより、非使用時には格納位置に戻るようにバネ付勢される格納式アシストグリップであって、前記グリップ本体の格納時において、前記取付ベースのフランジと、該フランジと当接するグリップ本体のいずれか一方側にストッパーリブが設けられていることにより、グリップ本体の格納時における打音の発生を回避するようにしたことを特徴とする。
【０００７】
ここで、格納式アシストグリップは、乗員が把持できる把手状のグリップ本体と、グリップ本体の両端を回動可能に支持できる取付ベースとから構成されている。グリップ本体及び取付ベースは、共に汎用の合成樹脂を使用した樹脂成形体から構成されており、グリップ本体の両端及び取付ベースには、それぞれ軸受部が形成されており、この軸受部にスプリングが介装され、スプリングのバネ圧でグリップ本体が常時ルーフトリムと重合する側にバネ付勢されている。また、格納式アシストグリップは、ルーフトリムをルーフパネルに取り付ける際、ルーフトリムとモジュール化されてルーフパネルに対してルーフトリム、格納式アシストグリップを一体に組み付ける構造を採用することができるとともに、ルーフパネルにルーフトリムを取り付けた後、格納式アシストグリップを別工程で取り付ける構造を採用することもできる。そして、取付ベースとグリップ本体の両端末部の当接部位には、いずれか一方側にストッパーリブが設けられている。
【０００８】
そして、以上の構成から明らかなように、本発明に係る格納式アシストグリップは、グリップ本体の格納時において、グリップ本体と取付ベースの当接部位のいずれか一方側にストッパーリブが設けられているため、アシストグリップの使用後、乗員がグリップ本体から手を離せば、スプリングのバネ力によりグリップ本体がルーフトリムの製品表面と重合する方向にバネ付勢されるものの、ストッパーリブにより、取付ベースのフランジとグリップ本体とが急激にぶつかることがないことから、打音の発生を確実に防止できるとともに、グリップ本体がルーフトリムの製品表面と過度の接触圧でぶつかることもなく、ルーフトリムの製品表面に損傷を与えることもない。
【発明の効果】
【０００９】
以上説明した通り、本発明に係る格納式アシストグリップは、グリップ本体が取付ベースに回動可能に支持され、かつスプリングによりグリップ本体は、格納方向にバネ付勢され、特に、グリップ本体と取付ベースとの当接部において、少なくともいずれか一方側にストッパーリブが形成されているため、取付ベースとグリップ本体との間の急激な衝接作用がないことから、グリップ本体の格納時、打音が発生することがなく、乗員に不快感を与えることがない。しかも、ルーフトリムの製品表面の損傷も未然に防止できることから、室内美観を長期に亘り良好に維持できるという効果を有する。
【発明を実施するための最良の形態】
【００１０】
以下、本発明に係る格納式アシストグリップの実施例について、添付図面を参照しながら詳細に説明する。尚、念のため付言すれば、本発明の要旨は特許請求の範囲に記載した通りであり、以下に説明する実施例は、本発明の一例を単に示すものに過ぎない。
【実施例】
【００１１】
図１は本発明に係る格納式アシストグリップを備えたルーフトリムを室内側からみた正面図、図２は同格納式アシストグリップの取付構造を示す断面図、図３は同格納式アシストグリップの構成を示す分解斜視図、図４は同格納式アシストグリップの使用時の状態を示す説明図、図５，図６は同格納式アシストグリップの格納時及び使用時のそれぞれの状態を示す各断面図、図７は本発明に係る格納式アシストグリップの変形例を示す説明図である。
【００１２】
図１において、ルーフトリム１０は、ルーフパネルの形状にほぼ等しく、やや室内側に湾曲する形状に成形され、フロント側縁部には、サンバイザ１１のブラケット１２やサンバイザ用ホルダ１３及びルームミラー用ブラケット１４が装着され、ルーフトリム１０の側縁部には、フロント側の助手席及びリヤ側両側に本発明に係る格納式アシストグリップ２０がそれぞれ装着されている。
【００１３】
図２乃至図４に基づいて、本発明に係る格納式アシストグリップ２０の構成並びにこの格納式アシストグリップ２０の取付構造を参考までに説明する。まず、図２に示すように、ルーフトリム１０は、この実施例では、ガラス繊維を混入したＰＰ（ポリプロピレン）樹脂基材１０ａの表面にクロスまたは不織布等から選択される表皮１０ｂを貼付して構成され、格納式アシストグリップ２０を取り付けるための小さめの開口１５が開設されている。また、ルーフトリム１０の裏面には、スペーサ機能をもつ樹脂製ブラケット３０が取り付けられている。そして、図示するように、格納式アシストグリップ２０は、ルーフトリム１０と樹脂製ブラケット３０とをルーフパネル４０の取付孔４１に対してモジュール化状態で取り付ける構成が採用されている。
【００１４】
すなわち、本発明に使用する格納式アシストグリップ２０は、走行中の急カーブ等により乗員が不安定な体勢を強いられた際、着座姿勢を良好に維持するために掴むことができる把手状のグリップ本体５０と、このグリップ本体５０の両端５１を回動可能に支持できる取付ベース６０とから大略構成されている。更に詳しくは、グリップ本体５０の両端５１には、取付ベース６０を収容する凹部５１１が設けられており、この凹部５１１の両側部には、ヒンジピン５２を軸受する軸受孔５２１が開設されている。一方、取付ベース６０は、ルーフトリム１０の製品表面に当接するフランジ６１と、このフランジ６１に一体化される中空四角筒状の取付部６２が一体化され、この取付部６２には、軸受部６３が形成されている。そして、取付部６２内に挿入されるインサートピン６４の軸孔６４１に、鉄クリップ６５の固定用ビス６５１をねじ込むことで、取付ベース６０に鉄クリップ６５が固定される。
【００１５】
従って、グリップ本体５０と取付ベース６０との組み付けにおいては、取付ベース６０の軸受部６３と、グリップ本体５０の両端５１における軸受孔５２１を一致させて、ヒンジピン５２を挿通させることで、取付ベース６０にグリップ本体５０を回動可能に支持することができ、ヒンジピン５２にスプリング５３を介装させることで、グリップ本体５０を常時ルーフトリム１０の製品表面と重なり合う格納位置に戻るようにバネ付勢されている。ここで、グリップ本体５０の格納位置Ａは、図６中２点鎖線で示し、グリップ本体５０の使用位置Ｂは、図６中実線で示す。
【００１６】
そして、本発明の特徴は、図４，図５に示すように、取付ベース６０のフランジ６１面にストッパーリブ６６が形成されている。この実施例においては、ストッパーリブ６６は、ヒンジピン５２のセンター位置５２ａから図５中ａに示す寸法だけ離して設定されている。このａは、２０ｍｍ以下が好ましい。すなわち、図５はグリップ本体５０が格納された状態を示し、図６は点線で示す使用位置Ｂから実線で示す格納位置Ａに回動操作する状態が示されている。従来では、使用の度毎、すなわち格納の際に必ず打音が発生し、かつルーフトリム１０の表皮１０ｂの損傷が避けられなかったが、本発明のように、取付ベース６０におけるフランジ６１にストッパーリブ６６を突設したため、グリップ本体５０がスプリング５３のバネ圧により、格納方向に戻される際、グリップ本体５０はストッパーリブ６６に緩衝的に当接し、急激な打音の発生を防止することができるとともに、グリップ本体５０が急激にルーフトリム１０の製品面にぶつかることがなく、表皮１０ｂの外観見栄えを低下させることがない。よって、長期に亘り格納式アシストグリップ２０設置箇所における製品外観を良好に維持できる。また、図５中ａで示す寸法が少ない程、グリップ本体５０とストッパーリブ６６との当たりスピードが遅くなるため有効である。
【００１７】
更に、図７は本発明に係る格納式アシストグリップ２０の変形例を示すもので、上述実施例では取付ベース６０側にストッパーリブ６６を設定したが、ストッパーリブ６６に替えて、この変形例では、グリップ本体５０側にストッパーリブ５４が形成されている。このように、グリップ本体５０側にストッパーリブ５４を設定しても、同様に、グリップ本体５０の格納時には、ストッパーリブ５４と取付ベース６０におけるフランジ６１とが突き当たるため、この緩衝作用で打音が発生することがないとともに、ルーフトリム１０の製品外観を良好に維持できるという上述実施例と同様の効果がある。
【産業上の利用可能性】
【００１８】
実施例は、ルーフ側に設けられる格納式アシストグリップ２０に適用したが、ドアトリムやリヤサイドトリム等に設けるアシストグリップに適用することもできる。また、本実施例では、ルーフトリム１０と格納式アシストグリップ２０との間はモジュール化構造が適用されているが、ルーフトリム１０と別個に格納式アシストグリップ２０をルーフパネル４０に取り付ける構造を採用することもできる。
【図面の簡単な説明】
【００１９】
【図１】本発明に係る格納式アシストグリップを装備したルーフトリムを室内側からみた正面図である。
【図２】図１に示す格納式アシストグリップをルーフパネルに取り付ける状態を示す断面図である。
【図３】図２に示す格納式アシストグリップの構成を示す斜視図である。
【図４】図２に示す格納式アシストグリップの使用時の状態を示す概要図である。
【図５】図３に示す格納式アシストグリップの格納時の状態を示す断面図である。
【図６】図３に示す格納式アシストグリップの使用時及び格納時の状態を示す断面図である。
【図７】本発明に係る格納式アシストグリップの変形例を示す要部斜視図である。
【図８】従来の格納式アシストグリップを備えたルーフトリムを示す正面図である。
【図９】従来の格納式アシストグリップの構成を示す説明図である。
【図１０】従来の格納式アシストグリップの格納時の状態を示す説明図である。
【符号の説明】
【００２０】
１０  ルーフトリム
１０ａ  基材
１０ｂ  表皮
２０  格納式アシストグリップ
３０  樹脂製ブラケット
４０  ルーフパネル
４１  取付孔
５０  グリップ本体
５１  両端
５２  ヒンジピン
５２１  軸受孔
５３  スプリング
５４  ストッパーリブ
６０  取付ベース
６１  フランジ
６２  取付部
６３  軸受部
６４  インサートピン
６５  鉄クリップ
６５１  固定用ビス
６６  ストッパーリブ
Ａ  格納位置
Ｂ  使用位置
【図１】
2008143401.tif 000003
【図２】
2008143401.tif 000004
【図３】
2008143401.tif 000005
【図４】
2008143401.tif 000006
【図５】
2008143401.tif 000007
【図６】
2008143401.tif 000008
【図７】
2008143401.tif 000009
【図８】
2008143401.tif 000010
【図９】
2008143401.tif 000011
【図１０】
2008143401.tif 000012